(57)【特許請求の範囲】
【請求項１】
二枚の壁パネルに渡って連結材が壁パネルの背面に嵌合し、壁パネル同士を連結する壁パネルの接続構造であって、壁パネルと連結材のいずれかに突起部が設けられ、もう一方に端部が細溝で形成される縦溝部が設けられ、突起部を縦溝部の細溝に嵌め込むことによって壁パネルと連結材が固定され、連結材を上方に移動させることにより突起部が細溝から抜けて壁パネルと連結材の嵌合が外れる構成とされており、連結材の上部には横長長方形状の複数のスリットが平行に並べられて配置され、該連結材は、壁パネル背面に接する当接部と、壁パネルから離間した非当接部を備え、スリットは非当接部に設けられることを特徴とする壁パネルの接続構造。
【請求項２】
請求項１に記載の壁パネルの接続構造において、連結材は、Ｌ字状に隣り合う壁パネルで形成されるコーナー部に設けられ、非当接部は二つの対向する直角部を備え、スリットは直角部に設けられており、二つの直角部を結ぶ平面部の中間位置にはスリットが設けられていないことを特徴とする壁パネルの接続構造。
【発明の詳細な説明】
【技術分野】
【０００１】
本発明は、壁パネルの接続構造に関するものである。
【背景技術】
【０００２】
従来、互いに同一垂直面に又は直交して隣接する２枚の壁パネルを接続する構成として、２枚の壁パネルに渡って連結材を取り付けて接続する壁パネルの接続構造は、知られている。
【０００３】
互いに隣接する２枚の壁パネルを連結するジョイナーであって、連結した２枚の壁パネルを解体する際に、連結した２枚の壁パネルからジョイナーを取り外すために用いられる取外し用孔がジョイナーに形成されている構成が知られている（特許文献１参照）。
【０００４】
先行技術として、本出願人が本発明に先行して開発した壁パネルの接続構造６０を図８、図９において説明する。図８（ａ）に示すように、２枚の壁パネル２の互いに隣接する側端部には、それぞれ中空状の柱材６１が取り付けられている。
【０００５】
この柱材６１には、太溝と細溝が形成された縦溝部６２が形成されており、上端部には、引き上げ工具挿通用の上下方向に長細い切り欠き６３が上端を開口するようにして形成されている。
【０００６】
連結材６７は、図８（ｂ）に示すように断面凹字型をしており、その内側には柱材６１の縦溝部６２にそれぞれ対応する２つの突起部６８が固定されている。また、図９（ａ）に示すように連結材６７の上端近くの下方の部分には、上下方向に長い縦スリット６９が、上下方向に間隔をおいて複数形成されている。
【０００７】
２枚の壁パネル２を接続する際は、連結材６７を、壁パネル２の柱材６１に後面（裏面）側からかぶせ、その突起部６８を柱材６１の縦溝部６２に太溝から差し込み、さらに連結材６７を押し下げるようにして嵌合し、２つの柱材６１に渡って固定することで、２枚の壁パネル２を接続する。
【０００８】
連結した２枚の壁パネル２を解体する場合には、連結材６７を上方に持ち上げて２つの柱材６１から取り外す必要がある。そのために、マイナスドライバー２８の扁平状の先端を、柱材６１の切り欠き６３を通して縦スリット６９に差し込み、壁パネル２の上端部を支点とし、梃子の原理で持ち上げる。
【先行技術文献】
【特許文献】
【０００９】
【特許文献１】特許第２６２７３９４号公報
【発明の概要】
【発明が解決しようとする課題】
【００１０】
図９に示す壁パネルの接続構造６０では、連結材６７の縦スリット６９は壁パネル２に近接した位置にあり、壁パネル２を分離するために連結材６７を取り外す際に、柱材６１の上端開口からマイナスドライバー２８の先端を、柱材６１の上端開口から切り欠き部６３を通して縦スリット６９に差し込まなくてはならないので、壁パネル２が薄く柱材６１が薄くなると、上端開口からマイナスドライバー２８を差し込むスペースが確保できにくくなるという問題が生じる。
【００１１】
また、図９に示す壁パネルの接続構造６０では、連結材６７の縦スリット６９は、壁パネル２に比較的近接した位置にあり、上下方向に長いので、連結材６７を取り外すために、マイナスドライバー２８を壁パネル２の上端部を支点として持ち上げる際に、マイナスドライバー２８の柄側を大きなストロークで下方に下げないと柱材６１は持ち上がらない。
【００１２】
その結果、支点にかかる時間的な負荷は大きくなり、またマイナスドライバー２８の支点とする箇所は、壁パネル２の後面側（裏面側）の上端縁から前面側（意匠面側）の上端縁まで移動し、そのためマイナスドライバーによって壁パネルの前面側の上端縁に負荷をかけて破損するようなことが生じる。特に、壁パネル２の板厚が薄くなりそれに対応して柱材６１が薄くなった場合に、このような破損が生じやすい。
【００１３】
本発明は、上記従来の問題を解決することを目的とするものであり、互いに同一垂直面に又は直交して隣接する２枚の壁パネルを接続する壁パネルの接続構造について、接続された２枚の壁パネルを解体する際に、ドライバー等の工具を用い、壁パネルに負荷をかけることなく、連結材を上方に移動させて壁パネルから取り外すことができる壁パネルの接続構造を実現することを課題とする。
【課題を解決するための手段】
【００１４】
本発明は上記課題を解決するために、二枚の壁パネルに渡って連結材が壁パネルの背面に嵌合し、壁パネル同士を連結する壁パネルの接続構造であって、壁パネルと連結材のいずれかに突起部が設けられ、もう一方に端部が細溝で形成される縦溝部が設けられ、突起部を縦溝部の細溝に嵌め込むことによって壁パネルと連結材が固定され、連結材を上方に移動させることにより突起部が細溝から抜けて壁パネルと連結材の嵌合が外れる構成とされており、連結材の上部には横長長方形状の複数のスリットが平行に並べられて配置され、該連結材は、壁パネル背面に接する当接部と、壁パネルから離間した非当接部を備え、スリットは非当接部に設けられることを特徴とする壁パネルの接続構造を提供する。
【００１６】
連結材は、Ｌ字状に隣り合う壁パネルで形成されるコーナー部に設けられ、非当接部は二つの対向する直角部を備え、スリットは直角部に設けられており、二つの直角部を結ぶ平面部の中間位置にはスリットが設けられていないことが好ましい。
【発明の効果】
【００１７】
本発明によれば、互いに同一垂直面に又は直交して接続された２枚の壁パネルを解体する際に、ドライバー等の工具を用い、壁パネルに負荷をかけることなく、連結材を上方に小刻みに移動させることができるので、壁パネルを損傷することなく、壁パネルから取り外すことが可能となる。
【図面の簡単な説明】
【００１８】
【図１】本発明に係る接続構造の実施例１における接続される壁パネルを説明する図であり、（ａ）は２枚の壁パネルを同一垂直面内に隣り合わせて並べた状態であり、（ｂ）は（ａ）においてＢ−Ｂ方向に見た図であり、（ｃ）はＣ−Ｃ方向の水平断面図である。
【図２】上記実施例１の連結材を説明する図であり、（ａ）は後方から見た斜視図であり、（ｂ）は平面図である。
【図３】上記実施例１の接続構造を説明する図であり、（ａ）は後方から見た斜視図であり、（ｂ）は平面図である。
【図４】上記実施例１の接続構造の作用を説明する図であり、（ａ）は２つの壁パネルを解体するために、連結材の最上段のスリットにマイナスドライバーを差し込んだ状態を示す斜視図であり、（ｂ）、（ｃ）は連結材を上方に持ち上げた状態を示す斜視図である。
【図５】本発明に係る接続構造の実施例２における接続される壁パネルを説明する図であり、（ａ）は２枚の壁パネルを直角に隣り合わせて並べた状態であり、（ｂ）は２枚の壁パネルの平面図であり、（ｃ）は連結材の水平断面図である。
【図６】上記実施例２の接続構造を説明する図であり、（ａ）は後方から見た斜視図であり、（ｂ）は水平断面図である。
【図７】上記実施例２の接続構造の作用を説明する図であり、（ａ）は２つの壁パネルを解体するために、連結材の最上段のスリットにマイナスドライバーを差し込んだ状態を示す斜視図であり、（ｂ）は連結材を上方に持ち上げた状態を示す斜視図である。
【図８】先行技術を説明する図であり、（ａ）は２枚の壁パネルを同一垂直面内に隣り合わせて並べた状態であり、（ｂ）は連結材の水平断面図である。
【図９】上記先行技術の接続構造を説明する図であり、（ａ）は後方から見た斜視図であり、（ｂ）は水平断面図である。
【発明を実施するための形態】
【００１９】
本発明に係る壁パネルの接続構造を実施するための形態を実施例に基づき図面を参照して、以下説明する。本明細書では、浴室側から浴室の壁パネルを正面視して、壁パネルの手前側を前方と言い、壁の背面側を後方という。
【実施例】
【００２０】
（実施例１）
本発明に係る壁パネルの接続構造の実施例１を、図１〜４において説明する。この実施例１の壁パネル２の接続構造１は、図１に示すように、同一垂直面内で互いに隣接する２枚の壁パネル２を、図３（ａ）、（ｂ）に示すように、連結材３を使用して接続する接続構造である。
【００２１】
壁パネル２は、図１（ａ）〜（ｃ）に示すように、石膏ボード６と、石膏ボード６の前面を覆うように石膏ボード６に固定された金属板７と、壁パネル２における側端部に配置される柱材９とから成る。
【００２２】
柱材９は、中空部１０を有し水平断面が矩形に形成されている（図１（ｃ）参照）。柱材９の後壁１１（裏面側の壁）には、上下方向に延びる縦溝部１２が中空部１０まで貫通して形成されている。
【００２３】
この縦溝部１２は、その上下方向の一部に形成された、後記する連結材３の突起部３１が抜き差し可能なように横幅が広い太溝１３と、上下方向の他の部分に形成され突起部３１が抜き差しができないように横幅の狭い細溝１４とから構成されている（図１（ａ）参照）。
【００２４】
金属板７の側端には、図１（ａ）〜（ｃ）に示すように、断面コの字型に折り返された折り返し側端部１８が形成されており、この折り返し側端部１８に柱材９が把持され、圧着等の固定手段で金属板７に固定されている。
【００２５】
金属板７の上端は、後方かつ水平に折り返された折り返し上端部１９が形成されている。折り返し上端部１９は、図１（ａ）〜（ｃ）、図３（ｂ）に示すように、柱材９の上端部の一部及び石膏ボード６の上端部をカバーしている。図１（ｃ）では、折り返し上端部１９は２点鎖線（想像線）で示す。なお、金属板７の下端も上端同様であり、後方かつ水平に折り返され、折り返し下端部が形成されている。
【００２６】
連結材３は、金属材が、図２（ａ）、（ｂ）に示すような形状に折り曲げられて形成されたものである。連結材３の左右には、当接部２１を備えており、左右の当接部２１の間には、当接部２１から後方に向けて突出した非当接部２２が形成されている。当接部２１は、２枚の壁パネル２の接続時に壁パネル２の背面（後面）、具体的には柱材９の後面と当接する。
【００２７】
非当接部２２は、壁パネルの接続構造１において、壁パネル２から後方に離間した位置となる。連結材３の当接部２１の横幅方向の左右側にそれぞれ後方に向けて突出し壁パネル２と当接しないリブ部２３が形成されている。リブ部２３は、連結材３の強度を高めるために形成されている。
【００２８】
連結材３の左右の当接部２１の前面には、図２（ｂ）、図３（ｂ）に示すように、それぞれ前方に突出した突起部３１が設けられている。この突起部３１は当接部２１に固定された首部３２と、首部３２を介して前方に向けてテーパ状拡大する大径部３３とから形成されているが、大径部３３の最大直径は、縦溝部１２の太溝１３の幅より小さく、細溝１４の幅広部の幅より大きく形成されている。
【００２９】
連結材３の非当接部２２の上部に、横長長方形状の複数のスリット２４が上下方向に一定間隔をおいて平行に並べられるように形成されている。スリット２４は、工具の扁平状の先端が挿通可能な大きさに形成されている。スリット２４は、非当接部の角まで延長されていてもよい。本実施例１では、後記するが、工具としてはマイナスドライバー２８を使用する（図４参照）。
【００３０】
なお、実施例１の壁パネルの接続構造１では、壁パネル２（具体的には壁パネル２の側端部に設けられた柱材９）に縦溝部１２が設けられており、連結材３に突起部３１が設けられた構成を説明したが、逆に、壁パネル２（具体的には壁パネル２の側端部に設けられた柱材９）に突起部３１が設けられ、連結材３に縦溝部１２が設けられる構成としてもよい。
【００３１】
（接続構造および作用）    
図１（ａ）に示すような２つの隣接する壁パネル２を連結材３で接続する場合は、連結材３の左右の突起部３１の大径部３３を、柱材９の縦溝部１２の太溝１３から中空部１０内に差し込み、連結材３を下方に移動して突起部３１の首部３２を細溝１４に嵌合させる。
【００３２】
すると、壁パネル２の後面（背面）、具体的には２つの柱材９の後面は、連結材３の左右の当接部２１に当接するとともに、それぞれ連結材３に固定された状態となるので、互いに連結材３を介して接続された状態となる。これによって、図３（ａ）、（ｂ）に示すように、隣接する２つの壁パネル２が連結材３で互いに一つの垂直面内において接続された壁パネルの接続構造１が得られる。
【００３３】
互いに接続された２つの隣接する壁パネル２の間には、図３（ｂ）に示すように、前方（浴室側）から防水用のパッキン材３７が装入される。
【００３４】
壁の解体や修理のために隣接する２つの壁パネル２を分離するためには、図３（ａ）、（ｂ）に示すような壁パネルの接続構造１において、壁パネル２の柱材９から連結材３を取り外す必要がある。
【００３５】
このように連結材３を取り外す場合には、柱材９の縦溝部１２に突起部３１が嵌合していた連結材３を上方に移動して、突起部３１を細溝１４から太溝１３に移動し、突起部３１を太溝１３を通して縦溝部１２から抜き出す。
【００３６】
連結材３を上方に移動するためには、扁平状の先端部を有するマイナスドライバー２８を、図４（ａ）に示すように、壁パネル２の前方から連結材３の最上位のスリット２４に差し込む。そして、壁パネル２の上端部３６の後縁を支点としてマイナスドライバー２８の柄の部分を矢印のように下方に押し、梃子の原理を利用して連結材３を上方へ持ち上げる。
【００３７】
そして、図４（ｂ）に示すように、水平前方から見て最上段のスリット２４が、現れた状態でマイナスドライバー２８をスリット２４から抜き、２段目のスリット２４にマイナスドライバー２８を差し込み、上記同様に梃子の原理を利用して、図４（ｃ）に示すように連結材３を上方へ持ち上げる。
【００３８】
このようにマイナスドライバー２８をスリット２４に差し込み梃子の原理を利用して連結材３を上方へ持ち上げる操作を、最上段のスリット２４から下位の段のスリット２４に対して次々と繰り返すことにより、連結材３を小刻みに持ち上げることが可能となる。ある程度、連結材３が壁パネル２の上端部３６から上方に露出すれば、手で把持して上方に取り外すことが可能となる。
【００３９】
本発明の壁パネルの接続構造１の特徴の一つは、マイナスドライバー２８を差し込む連結材３の複数のスリット２４を、図８および図９に示す先行技術のように壁パネル２に近接することなく、壁パネル２から離間した非当接部２２に設けた構成である。
【００４０】
このような構成を採用したので、壁パネル２及び柱材９が薄くなり、柱材９の上端部の開口が小さくなり、マイナスドライバー２８を差し込む柱材９のスペースが確保しにくくなっても、先行技術のように柱材９の上端部の開口から柱材９の中空部及び切り欠き部を通してマイナスドライバー２８を差し込むことなく、壁パネル２の前面側からマイナスドライバー２８を壁パネル２から離間したスリット２４に容易に差し込むことができ、壁パネル２の上端部３６の後縁を支点として容易に連結材３を持ち上げることができる。
【００４１】
そして、先行技術のように柱材９の上端にマイナスドライバー２８を挿通する切り欠き部６３（図８（ａ）参照）を形成する必要がないので、柱材９の構成も簡単となる。
【００４２】
また、本発明の壁パネルの接続構造１によれば、連結材３を小刻みに持ち上げることができるので、マイナスドライバー２８の支点は壁パネル２の上端部３６の後縁となり、先行技術のように壁パネル２の上端部の面ないし前縁にマイナスドライバー２８が当接し負荷をかけることがないので、壁パネル２の前縁に損傷を与えるようなことが防止される。
【００４３】
しかも、小刻みに持ち上げることができ、マイナスドライバー２８で持ち上げる行程（ストローク）が短いので、マイナスドライバー２８で持ち上げる行程（ストローク）が長い場合に比べて、マイナスドライバー２８が壁パネル２の上端部３６の後縁に当接することによる壁パネル２への負荷が時間的に分散されるので、壁パネル２も損傷しにくい。
【００４４】
（実施例２）
本発明に係る壁パネルの接続構造の実施例２を、図５〜図７において説明する。この実施例２の壁パネルの接続構造４１は、２枚の壁パネル２を接続するものであり、実施例１の接続構造１と略同じである。
【００４５】
しかし、実施例２の壁パネルの接続構造４１は、図５に示すようなＬ字状（直角）に隣り合う２枚の壁パネル２を接続する構成であり、連結材４２は、Ｌ字状に隣り合う２枚の壁パネル２で形成されるコーナー部に設けられる構成において異なる。以下、実施例２について、実施例１と同じ構成は同じ符号を用い、相違する構成を中心に説明する。
【００４６】
この壁パネルの接続構造４１で接続されるＬ字状に隣り合う２枚の壁パネル２は、それぞれ実施例１において説明した壁パネル２と同じ構成であり、図５（ａ）に示すように、石膏ボード６と、石膏ボード６の前面を覆うように石膏ボード６に固定された金属板７と、壁パネル２における側端部に配置される柱材９とから成る。
【００４７】
連結材４２は、図５（ｂ）に示すように、Ｌ字状に隣り合う壁パネルのコーナー部に対応して、平面視で図５（ｃ）に示すような形状で形成されている。連結材４２は、互いに直交する方向に設けられた２つ当接部４３と、２つの壁パネル２の角部から離間した位置に設けられた非当接部４４とから一体に形成されている。当接部４３における壁パネル２の柱材９と当接する側の面には、図５（ｃ）に示すように、突起部４５が設けられている。
【００４８】
連結材４２の非当接部４４は、二つの対向する直角部４９を備えている。二つの対向する直角部４９には、それぞれ複数のスリット５０が上下方向に一定の間隔で平行に並べられるように形成されている。スリット５０は、実施例１と同様に、マイナスドライバーの２８の扁平状の先端が差し込み可能な大きさに形成されている。
【００４９】
２つの壁パネル２を連結材４２で接続する場合は、連結材４２の２つの当接部４３にそれぞれ設けられた突起部４５を、実施例１と同様にして、それぞれ対応する柱材９の縦溝部１２に嵌合し固定する。２つの壁パネル２の柱材９は、それぞれ連結材４２の当接部４３に当接するとともに、連結材４２に固定された状態とする。
【００５０】
その結果、２つの壁パネル２は、互いに連結材４２を介して接続された状態となる。これによって、図６（ａ）、（ｂ）に示すように、互いにＬ字状に隣り合う２つの壁パネル２が連結材４２で接続された壁パネルの接続構造４１が得られる。        
【００５１】
壁の修理や解体等の際には、実施例１同様に、壁パネル２の柱材９から連結材４２を取り外す必要がある。図６（ａ）、（ｂ）に示すような壁パネルの接続構造４１において、連結材４２を取り外す場合には、マイナスドライバー２８を、最上段のスリット５０に差し込む。
【００５２】
この場合、差し込むべきスリット５０から遠い側の壁パネル２の上方からマイナスドライバー２８を、差し込むと良い（図７（ａ）参照）。そして、遠い側の壁パネル２の上端部３６を支点としてマイナスドライバー２８を押し下げて、梃子の原理で連結材４２を持ち上げる。
【００５３】
最上段のスリット５０が、図７（ａ）に示すように浴室側から水平に見て現れたら、図７（ｂ）に示すように、さらに２段目のスリット５０にマイナスドライバーを差し込み、同様に持ち上げる。
【００５４】
このようにして、連結材４２を小刻みに持ち上げていき、最終的に連結材４２を手で把持して取り出すことができる高さまで持ち上げる。
【００５５】
以上、本発明に係る壁パネルの接続構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５６】
本発明に係る壁パネルの接続構造は上記のような構成であるから、浴室の防水パン周縁に設けられる壁パネルを接続する場合だけでなく、各種の施設における壁パネルの接続を取り付ける場合等にも適用可能である。
【符号の説明】
【００５７】
１  壁パネルの接続構造                               
２  壁パネル                                         
３  連結材                                           
６  壁パネルの石膏ボード                               
７  壁パネルの金属板                                   
９  壁パネルの柱材                                   
１０  柱材の中空部                                   
１１  柱材の後壁                                     
１２  縦溝部                                         
１３  縦溝部の太溝                                   
１４  縦溝部の細溝                                   
１８  金属板の折り返し側端部                         
１９  金属板の折り返し上端部                         
２１  連結材の当接部                                 
２２  連結材の非当接部                               
２３  連結材のリブ部                                 
２４  連結材のスリット                               
２８  マイナスドライバー                             
３１  連結材に設けられた突起部                       
３２  突起部の首部                                   
３３  突起部の大径部                                 
３６  壁パネルの上端部                               
３７  防水用のパッキン材                                                     
４１  壁パネルの接続構造                             
４２  連結材                                         
４３  連結材の当接部                                 
４４  連結材の非当接部                               
４５  連結材の突起部                                 
４９  非当接部の直角部                               
５０  非当接部の直角部に形成されたスリット           
６０  先行技術の壁パネルの接続構造                   
６１  柱材                                           
６２  柱材の縦溝部                                   
６３  柱材の切り欠き                                 
６７  連結材                                         
６８  連結材の突起部                                 
６９  縦スリット                                     
【図１】
0006514879.tif 000002
【図２】
0006514879.tif 000003
【図３】
0006514879.tif 000004
【図４】
0006514879.tif 000005
【図５】
0006514879.tif 000006
【図６】
0006514879.tif 000007
【図７】
0006514879.tif 000008
【図８】
0006514879.tif 000009
【図９】
0006514879.tif 000010